(57)【特許請求の範囲】
【請求項１】
燃料を燃焼させて熱媒油の加熱を行う熱媒ボイラと、
前記熱媒ボイラと熱使用部とを接続し、該熱媒ボイラと該熱使用部との間で熱媒油を循環させる熱媒循環ラインと
前記熱媒循環ラインに配置される循環ポンプと、
前記熱媒ボイラの燃焼又は停止指示をするための熱媒ボイラ運転スイッチと、
前記循環ポンプを起動するための循環ポンプ起動スイッチと、
前記熱媒ボイラの燃焼を制御する制御部と、
を備える熱媒ボイラシステムであって、
前記制御部は、
前記循環ポンプ起動スイッチがオンされると、循環ポンプ電源が導通した状態を検知する循環ポンプ起動検知部と、
前記循環ポンプ起動検知部により循環ポンプ電源が導通した状態を検知しているときに、前記熱媒ボイラ運転スイッチがオンに操作されることで、前記熱媒ボイラの燃焼を開始するように制御する第１制御部と、を備え
前記熱媒ボイラ運転スイッチは、前記循環ポンプ起動スイッチがオンされることに連動してオンされるものではない、熱媒ボイラシステム。
【請求項２】
前記熱媒ボイラシステムは、さらに、
前記熱媒循環ラインに設けられ熱媒油の温度を測定する熱媒油温度検出部を備え、
前記制御部は、さらに、
前記熱媒ボイラ運転スイッチがオフにされた場合、前記熱媒油温度検出部により測定される熱媒温度が所定の温度以下になったことを検知すると、冷却動作終了信号を出力する冷却動作終了信号出力部を備え、
前記第１制御部は、前記冷却動作終了信号出力部により出力される前記冷却動作終了信号により、前記循環ポンプを停止させるように制御する、請求項１に記載の熱媒ボイラシステム。
【請求項３】
前記熱媒ボイラシステムは、さらに、
前記循環ポンプを強制停止させる循環ポンプ強制停止スイッチを備え、
前記循環ポンプ起動検知部は、前記循環ポンプ強制停止スイッチがオンされるか又は前記冷却動作終了信号出力部により前記冷却動作終了信号が出力されるまで、循環ポンプ電源が導通した状態を検知する、請求項２に記載の熱媒ボイラシステム。
【請求項４】
前記冷却動作終了信号出力部は、さらに、
前記熱媒ボイラ運転スイッチがオフにされた場合、所定時間経過後に、冷却動作終了信号を出力する、請求項２に記載の熱媒ボイラシステム。
【請求項５】
前記熱媒ボイラシステムは、さらに、
循環ポンプ電源オフ時に、所定時間、循環ポンプ電源の導通状態を保持する循環ポンプ電源保持部を備える、請求項１に記載の熱媒ボイラシステム。
【請求項６】
前記熱媒ボイラシステムは、さらに、
前記循環ポンプを冷却するための冷却水を供給する循環ポンプ冷却水ラインと、
前記循環ポンプ冷却水ラインに設けられる循環ポンプ冷却水電磁弁と、
を備え、
前記第１制御部は、さらに、
前記循環ポンプ起動検知部により循環ポンプ電源が導通した状態を検知する間、前記循環ポンプ冷却水電磁弁を開くように制御する、請求項１乃至請求項５のいずれか１項に記載の熱媒ボイラシステム。
【請求項７】
前記第１制御部は、さらに、
前記熱媒ボイラの燃焼制御中に前記循環ポンプ起動検知部により循環ポンプ電源が導通した状態を所定時間継続して検知しない場合、前記熱媒ボイラの燃焼を停止させるように制御する、請求項１乃至請求項６のいずれか１項に記載の熱媒ボイラシステム。
【請求項８】
前記熱媒ボイラシステムは、さらに、
負荷電流が規定値以上に流れる過電流を感知して、循環ポンプに電力を供給する循環ポンプ電源を遮断するとともに過電流信号を出力する保護装置を備え、
前記第１制御部は、さらに、
前記過電流信号を検知すると、前記熱媒ボイラの燃焼を停止させるように制御する、請求項１乃至請求項５のいずれか１項に記載の熱媒ボイラシステム。
【請求項９】
前記熱媒ボイラシステムは、さらに、
循環ポンプ過熱異常信号を接点で取り込んで循環ポンプが過熱状態であることを検知する循環ポンプ過熱検知部を備え、
前記第１制御部は、さらに、
前記循環ポンプ過熱検知部が循環ポンプ過熱状態を検知すると、前記熱媒ボイラの燃焼を停止させるように制御する、請求項１乃至請求項７のいずれか１項に記載の熱媒ボイラシステム。
【請求項１０】
前記熱媒ボイラシステムは、さらに、
循環ポンプの温度を検出する循環ポンプ温度検出部を備え、
前記第１制御部は、さらに、
前記循環ポンプ温度検出部が、循環ポンプの温度が所定の温度以下であることを検出した場合に、前記熱媒ボイラの燃焼を停止させるように制御する、請求項１乃至請求項８のいずれか１項に記載の熱媒ボイラシステム。
【請求項１１】
前記熱媒ボイラシステムは、さらに、
循環ポンプ運転中に差圧検出装置により熱媒ボイラの熱媒油入口に設置された熱媒ボイラ入口圧力計と熱媒油出口に設置された熱媒ボイラ出口圧力計との差圧に基づいて、熱媒流量を検出する熱媒流量検出部を備え、
前記第１制御部は、さらに、
前記熱媒流量検出部により熱媒流量が所定の流量以下であることを検出した場合に、前記熱媒ボイラの燃焼を停止させるように制御する、請求項１乃至請求項９のいずれか１項に記載の熱媒ボイラシステム。
【発明の詳細な説明】
【技術分野】
【０００１】
本発明は、熱媒ボイラの燃焼により熱媒油を加熱し、加熱した熱媒油を負荷機器としての熱使用部との間で循環ポンプにより循環させることで熱の供給を熱使用部に行う熱媒ボイラシステムに関する。
【背景技術】
【０００２】
従来より、熱媒ボイラの燃焼時には本体部に熱が蓄えられ、燃焼を停止しても本体部から発する熱が熱媒油を加熱することがある。このような場合に、仮に循環ポンプが運転停止し、熱媒油の循環がなされないと、本体部の熱を受けやすい個所における熱媒油は炭化することがある。このように、熱媒ボイラの運転を停止した場合に、循環ポンプを同時に停止すると、熱媒油が加熱されて炭化する可能性がある。
このため、熱媒ボイラ運転停止時には、熱媒油の温度が所定の温度に下がるまで、循環ポンプの運転を継続して、熱媒油を冷却させる必要があった。
このため、特許文献１では、熱媒ボイラ停止後の経過時間と熱媒油の温度を検出し、熱媒ボイラ停止後に所定時間が経過し、且つ熱媒油の温度が予め設定した温度以下になるまで、送風機及び循環ポンプの運転を継続することで、熱媒油の炭化を防止する技術が記載されている。
しかしながら、熱媒ボイラの運転スイッチを切ると、いずれにしても、循環ポンプが停止するため、例えば熱媒油の循環を継続させたい場合に、熱媒ボイラの運転スイッチを切ることができなかった。また、熱媒ボイラ故障などの原因で熱媒ボイラの運転ができない場合に、熱媒油を循環させることができなかった。
【先行技術文献】
【特許文献】
【０００３】
【特許文献１】特開平０６−３４１６０６号公報
【発明の概要】
【発明が解決しようとする課題】
【０００４】
従来の熱媒ボイラシステムにおいて、仮に熱媒ボイラ側に異常が発生した場合、又は循環ポンプ側に異常が発生した場合に、熱媒ボイラシステムを安全に制御できることが求められていた。
【０００５】
本発明は、仮に熱媒ボイラ側に異常が発生した場合、又は循環ポンプ側に異常が発生した場合であっても、より安全に制御される熱媒ボイラシステムを提供することを目的とする。
【課題を解決するための手段】
【０００６】
本発明は、燃料を燃焼させて熱媒油の加熱を行う熱媒ボイラと、前記熱媒ボイラと熱使用部とを接続し、該熱媒ボイラと該熱使用部との間で熱媒油を循環させる熱媒循環ラインと、前記熱媒循環ラインに配置される循環ポンプと、前記熱媒ボイラの燃焼又は停止指示をするための熱媒ボイラ運転スイッチと、前記循環ポンプを起動するための循環ポンプ起動スイッチと、前記熱媒ボイラの燃焼を制御する制御部と、を備える熱媒ボイラシステムであって、前記制御部は、前記循環ポンプ起動スイッチがオンされ、循環ポンプ電源が導通した状態を検知する循環ポンプ起動検知部と、前記循環ポンプ起動検知部により循環ポンプ電源が導通した状態を検知することで、前記熱媒ボイラの燃焼を可能とするように制御する第１制御部と、を備える、熱媒ボイラシステムに関する。
【０００７】
また、前記熱媒ボイラシステムは、さらに、前記熱媒循環ラインに設けられ熱媒油の温度を測定する熱媒油温度検出部を備え、前記制御部は、さらに、前記熱媒ボイラ運転スイッチがオフにされた場合、前記熱媒油温度検出部により測定される熱媒温度が所定の温度以下になったことを検知すると、冷却動作終了信号を出力する冷却動作終了信号出力部を備え、前記第１制御部は、前記冷却動作終了信号出力部により出力される前記冷却動作終了信号により、前記循環ポンプを停止させるように制御することが望ましい。
【０００８】
また、前記熱媒ボイラシステムは、さらに、前記循環ポンプを強制停止させる循環ポンプ強制停止スイッチを備え、前記循環ポンプ起動検知部は、前記循環ポンプ強制停止スイッチがオンされるか又は前記冷却動作終了信号出力部により前記冷却動作終了信号が出力されるまで、循環ポンプ電源が導通した状態を検知することが望ましい。
【０００９】
また、前記冷却動作終了信号出力部は、さらに前記熱媒ボイラ運転スイッチがオフにされた場合、所定時間経過後に、冷却動作終了信号を出力することが望ましい。
【００１０】
また、前記熱媒ボイラシステムは、さらに、循環ポンプ電源オフ時に、所定時間、循環ポンプ電源の導通状態を保持する循環ポンプ電源保持部を備えることが望ましい。
【００１１】
前記熱媒ボイラシステムは、さらに、前記循環ポンプを冷却するための冷却水を供給する循環ポンプ冷却水ラインと、前記循環ポンプ冷却水ラインに設けられる循環ポンプ冷却水電磁弁と、を備え、前記第１制御部は、さらに、前記循環ポンプ起動検知部により循環ポンプ電源が導通した状態を検知する間、前記循環ポンプ冷却水電磁弁を開くように制御することが望ましい。
【００１２】
また、前記第１制御部は、さらに、前記熱媒ボイラの燃焼制御中に前記循環ポンプ起動検知部により循環ポンプ電源が導通した状態を所定時間継続して検知しない場合、前記熱媒ボイラの燃焼を停止させるように制御することが望ましい。
【００１３】
また、前記熱媒ボイラシステムは、さらに、負荷電流が規定値以上に流れる過電流を感知して、循環ポンプに電力を供給する循環ポンプ電源を遮断するとともに過電流信号を出力する保護装置を備え、前記第１制御部は、さらに、前記過電流信号を検知すると、前記熱媒ボイラの燃焼を停止させるように制御することが望ましい。
【００１４】
また、前記熱媒ボイラシステムは、さらに、循環ポンプ過熱異常信号を接点で取り込んで循環ポンプが過熱状態であることを検知する循環ポンプ過熱検知部を備え、前記第１制御部は、さらに、前記循環ポンプ過熱検知部が循環ポンプ過熱状態を検知すると、前記熱媒ボイラの燃焼を停止させるように制御することが望ましい。
【００１５】
前記熱媒ボイラシステムは、さらに、循環ポンプの温度を検出する循環ポンプ温度検出部を備え、前記第１制御部は、さらに、前記循環ポンプ温度検出部が、循環ポンプの温度が所定の温度以下であることを検出した場合に、前記熱媒ボイラの燃焼を停止させるように制御することが望ましい。
【００１６】
前記熱媒ボイラシステムは、さらに、循環ポンプ運転中に差圧検出装置により熱媒ボイラの熱媒油入口に設置された熱媒ボイラ入口圧力計と熱媒油出口に設置された熱媒ボイラ出口圧力計との差圧に基づいて、熱媒流量を検出する熱媒流量検出部を備え、前記第１制御部は、さらに、前記熱媒流量検出部により熱媒流量が所定の流量以下であることを検出した場合に、前記熱媒ボイラの燃焼を停止させるように制御することが望ましい。
【発明の効果】
【００１７】
本発明によれば、循環ポンプの運転を熱媒ボイラの運転から独立させ、熱媒ボイラの故障などの状態に影響を受けずに、循環ポンプの運転を継続することができ、熱媒ボイラの運転スイッチを切った場合でも、必要に応じて熱媒油の循環を継続させることを可能とする。
【図面の簡単な説明】
【００１８】
【図１】本発明の実施例の熱媒ボイラシステムの概略を示す図である。
【図２】本発明の実施例の熱媒ポンプの電源回路の概略を示す図である。
【発明を実施するための形態】
【００１９】
以下、本発明の実施形態について図を参照しながら説明する。図１に示すように、熱媒油を加熱する熱媒ボイラシステム１は、熱媒油を加熱する熱媒ボイラ２と、熱媒ボイラ２により加熱された熱媒油を熱使用部３との間で循環させる循環ポンプ５を備えた熱媒循環ライン４と、制御部６と、を備える。
また、熱媒ボイラシステム１は、熱媒ボイラ２の燃焼又は停止指示をするための熱媒ボイラ運転スイッチ２２と、循環ポンプ５を起動するための循環ポンプ起動スイッチ５８と、循環ポンプ５を強制停止するための循環ポンプ強制停止スイッチ５９と、を備える。熱媒ボイラ運転スイッチ２２、循環ポンプ起動スイッチ５８、及び循環ポンプ強制停止スイッチ５９は、熱媒ボイラシステム１の備える操作パネルに設けることができる。
【００２０】
熱媒ボイラ２は、本体内にバーナ等の燃焼装置２１と、熱媒循環ライン４に接続される熱媒油加熱管とを備え、熱媒油加熱管内の熱媒油を加熱する。熱媒ボイラ２は、信号線７を介して制御部６と電気的に接続されている。
【００２１】
熱媒循環ライン４は、熱媒ボイラ２（熱媒油加熱管）と、熱媒ボイラ２の出口経路４１と、熱媒ボイラ２（熱媒油加熱管）で加熱された熱媒油を熱使用部３に供給する熱媒油供給経路４２と、熱使用部３と、熱使用部３から熱媒ボイラ２に戻る熱媒油戻り経路４３と、熱媒ボイラ２の入口経路４４と、を接続して構成される。
熱媒循環ライン４には、さらに、循環ポンプ５、熱媒油温度検出部８、熱媒流量検出部９が設けられる。循環ポンプ５は、熱媒油供給経路４２、又は熱媒油戻り経路４３、又は両経路のいずれに設置してもよい。
【００２２】
循環ポンプ５は、例えば、ポンプ部５１とモータ部５２とが一体となったキャンド型ポンプであって、熱媒油の漏れを防止する耐熱構造のものである。循環ポンプ５には、電源回路（以下「循環ポンプ電源回路１０」又は単に「電源回路１０」という）が設けられる。
循環ポンプ５を作動することにより、熱媒油加熱管内で加熱された熱媒油は、熱媒油供給経路４２を経由して熱使用部３に送られる。熱使用部３で熱を奪われた熱媒油は、熱媒油戻り経路４３を経由して熱媒ボイラ２に戻される。このように、循環ポンプ５を作動することにより、熱使用部３で熱を使用することで温度の低下した熱媒油は、熱媒循環ライン４により熱媒ボイラ２に循環させるように構成される。
循環ポンプ５の詳細については後述する。
【００２３】
制御部６は、熱媒ボイラ運転スイッチ２２がオンされることに応答して、熱媒ボイラ２の燃焼を開始する。また、制御部６は、熱媒ボイラ運転スイッチ２２がオフされることに応答して、熱媒ボイラ２の燃焼を停止する。
制御部６は、循環ポンプ起動スイッチ５８がオンされることに応答して、熱媒循環ライン４に設けられた循環ポンプ５の運転を開始する。また、制御部６は、循環ポンプ強制停止スイッチ５９がオンされることに応答して、循環ポンプ５の運転を停止する。
制御部６の詳細については後述する。
【００２４】
熱媒油温度検出部８は、熱媒油の温度を測定する。熱媒油温度検出部８は、熱媒ボイラ２の出口経路４１及び熱媒ボイラ２の入口経路４４に設けることができる。
【００２５】
熱媒流量検出部９は、熱媒循環ライン４を循環する熱媒流量を検出する。熱媒流量検出部９は、熱媒ボイラ２の熱媒油入口に設置された熱媒ボイラ入口圧力計９１と、熱媒油出口に設置された熱媒ボイラ出口圧力計９２と、両者の差圧を算出する差圧検出装置９３（例えば、差圧スイッチ又は差圧センサ等）と、により構成され、両者の差圧により熱媒流量を検出する。
【００２６】
［循環ポンプ５について］
次に循環ポンプ５について、詳細に説明する。
循環ポンプ５には、循環ポンプ５を冷却するための冷却水を供給する循環ポンプ冷却水ライン５３が設けられる。循環ポンプ冷却水ライン５３には、循環ポンプ冷却水電磁弁５４が設けられ、循環ポンプ５の作動時に、制御部６により、循環ポンプ冷却水電磁弁５４を開くように制御される。そうすることで、冷却水を循環ポンプ冷却水ライン５３を介して、循環ポンプ５に供給し、循環ポンプ５を冷却することができる。循環ポンプ冷却水電磁弁５４は、信号線７を介して制御部６と電気的に接続されている。
【００２７】
さらに、循環ポンプ５には、循環ポンプ５の異常を検知するために、循環ポンプ過熱検知部５５、循環ポンプ温度検出部５６、及びベアリング不良検知部５７が設けられる。
循環ポンプ過熱検知部５５は、循環ポンプ５が過熱状態となった場合、循環ポンプ過熱異常信号を接点で取り込むことで、循環ポンプ５が過熱状態である異常が発生したか否かを検知することができる。
、循環ポンプ温度検出部５６は、センサ（熱電対）により循環ポンプ５の温度を検出することで、予め設定された所定の温度（閾値）を超える異常が発生したか否かを検出することができる。
ベアリング不良検知部５７は、循環ポンプ５の回転部に使用するベアリング不良の信号を取り込むことで、ベアリング不良の異常が発生したか否かを検知することができる。
循環ポンプ過熱検知部５５と、循環ポンプ温度検出部５６と、ベアリング不良検知部５７は、それぞれ、信号線７を介して制御部６と電気的に接続されている。
そうすることで、例えば循環ポンプ５が過熱状態となった場合、循環ポンプ５の温度が予め設定した所定の温度（閾値）を超える場合、又は循環ポンプ５の回転部に使用するベアリング不良を検知した場合、後述するように、制御部６は、熱媒ボイラ２の燃焼を停止させることで事故を避けるとともに、善後策を取ることができる。
【００２８】
［循環ポンプ電源回路１０について］
次に、図２を参照しながら、循環ポンプ電源回路１０について説明する。
循環ポンプ電源回路１０は、循環ポンプ起動スイッチ５８によるａ接点（以下「循環ポンプ起動スイッチａ接点１０１」という）と、循環ポンプ運転入力信号出力部１０２と、循環ポンプ強制停止スイッチ５９によるｂ接点（以下「循環ポンプ強制停止スイッチｂ接点１０３」という）と、冷却動作終了信号によるｂ接点（以下「冷却動作終了信号ｂ接点１０４」という）と、保護装置（サーマル）１０５と、過電流信号出力部１０６と、電源オフディレータイマ１０７と、電源オフディレータイマ１０７によるａ接点（以下「電源オフディレータイマａ接点１０８」という）と、循環ポンプ強制停止スイッチ５９によるａ接点（以下「循環ポンプ強制停止スイッチａ接点１０９」という）と、冷却動作終了信号によるａ接点（以下「冷却動作終了信号ａ接点１１０」という）と、を備える。
ここで、ａ接点とは、通常、接点が開いており、スイッチが押されることで当該接点がつながり、回路が閉じて電気が流れるものをいう。ｂ接点は、ａ接点とは逆に通常閉じており、スイッチが押されることで当該接点が離れ、回路が開いて電気が止まるものをいう。
【００２９】
循環ポンプ起動スイッチａ接点１０１は、熱媒ボイラシステム１に設けられた循環ポンプ起動スイッチ５８がオンされることに応答してつながることで、電気が流れるように構成される。このように、循環ポンプ５は、熱媒ボイラ２の燃焼開始及び燃焼停止動作から独立して、循環ポンプ起動スイッチ５８をオンすることで、循環ポンプ５を作動させることができる。
【００３０】
循環ポンプ運転入力信号出力部１０２は、循環ポンプ起動スイッチ５８がオンされることに応答して、循環ポンプ運転入力信号を出力する。循環ポンプ運転入力信号出力部１０２は、循環ポンプ強制停止スイッチ５９がオンされるか、又は制御部６（冷却動作終了信号出力部６２）により冷却動作終了信号が出力されるまで、循環ポンプ運転入力信号を継続して出力する。
【００３１】
循環ポンプ強制停止スイッチｂ接点１０３は、熱媒ボイラシステム１に設けられた循環ポンプ強制停止スイッチ５９がオンされることに応答して開くことで、電気が流れなくなるように構成される。このように、循環ポンプ５は、熱媒ボイラ２の燃焼開始及び燃焼停止動作から独立して、循環ポンプ強制停止スイッチ５９をオンすることで、循環ポンプ５の運転を停止することができる。
【００３２】
冷却動作終了信号ｂ接点１０４は、制御部６（冷却動作終了信号出力部６２）から出力される冷却動作終了信号に応答して開くことで、電気が流れなくなるように構成される。こうすることで、熱媒ボイラ２の運転停止後、熱媒油の冷却完了後に、循環ポンプ５を自動的に停止することができる。
ここで、冷却動作終了信号とは、熱媒ボイラ２の運転停止後の循環ポンプ５による熱媒油の冷却運転時に、熱媒油温度検出部８により測定される熱媒温度が所定の温度以下になった場合、及び／又は所定時間経過後に、制御部６（冷却動作終了信号出力部６２）から出力される信号を意味する。
【００３３】
保護装置（サーマル）１０５は、電源回路１０を流れる電流値が予め設定された規定値以上となる過電流が流れたことを感知して、循環ポンプ電源回路１０を遮断する。こうすることで、電源回路１０に過電流が流れた場合、循環ポンプ５を異常停止させることができる。
過電流信号出力部１０６は、電源回路１０に過電流が流れた場合、過電流信号を出力する。
【００３４】
電源オフディレータイマ１０７は、瞬間停電（瞬電）が発生した場合、循環ポンプ５が停止しないように、所定時間（例えば２秒間）電源をオフしないように、電源回路１０を導通させるために使用される。
なお、電源オフディレータイマ１０７は、循環ポンプ強制停止スイッチ５９のオン、又は冷却動作終了信号に応答して、強制リセットされる。
【００３５】
電源オフディレータイマａ接点１０８は、循環ポンプ起動スイッチ５８がオンされることに応答してつながるように構成される。電源オフディレータイマａ接点１０８は、瞬電が発生した場合であっても、電源オフディレータイマ１０７により所定時間（例えば２秒間）開かないように制御される。こうすることで、例えば、瞬電が発生した場合であっても、循環ポンプ５の停止を避けることができる。
【００３６】
循環ポンプ強制停止スイッチａ接点１０９は、循環ポンプ強制停止スイッチ５９がオンされることに応答してつながることで、電源オフディレータイマ１０７が強制リセットされる。そうすることで、循環ポンプ強制停止スイッチ５９がオンされた場合、電源オフディレータイマ１０７が作動しないため、循環ポンプ５を即時停止することができる。
【００３７】
冷却動作終了信号ａ接点１１０は、制御部６（冷却動作終了信号出力部６２）から出力される冷却動作終了信号に応答してつながることで、電源オフディレータイマ１０７が強制リセットされる。そうすることで、冷却動作終了信号が出力された場合、電源オフディレータイマ１０７が作動しないため、循環ポンプ５を即時停止することができる。
【００３８】
［制御部６について］
次に、制御部６について説明する。図１に示すように、制御部６は、循環ポンプ起動検知部６１と、冷却動作終了信号出力部６２と、第１制御部６３とを備える。
【００３９】
［循環ポンプ起動検知部６１］
循環ポンプ起動検知部６１は、循環ポンプ起動スイッチ５８がオンされることに応答して、循環ポンプ電源が導通した状態を検知する。より具体的には、循環ポンプ運転入力信号出力部１０２の出力する運転入力信号を検知する。循環ポンプ起動検知部６１は、循環ポンプ強制停止スイッチ５９がオンされるか、又は冷却動作終了信号出力部６２により冷却動作終了信号が出力されるまで、循環ポンプ電源が導通した状態（すなわち循環ポンプ運転入力信号）を継続して検知する。
【００４０】
［冷却動作終了信号出力部６２］
冷却動作終了信号出力部６２は、熱媒ボイラ２の運転停止後の循環ポンプ５による熱媒油の冷却運転時に、熱媒油温度検出部８により測定される熱媒温度が所定の温度以下になったことを検知した場合、及び／又は熱媒ボイラ２の運転が停止されてから所定時間経過後に、冷却動作終了信号を出力する。
【００４１】
［第１制御部６３］
第１制御部６３は、循環ポンプ運転入力信号出力部１０２による循環ポンプ運転入力信号が出力されている状態に限り、熱媒ボイラ２の燃焼を可能とするように制御する。例えば、第１制御部６３は、熱媒ボイラ運転スイッチ２２がオンされた場合、循環ポンプ運転入力信号を検知しているときに限り、熱媒ボイラ２の燃焼を開始する。
第１制御部６３は、循環ポンプ運転入力信号を検知していない状態で、熱媒ボイラ運転スイッチ２２がオンとなった場合、循環ポンプ起動スイッチａ接点１０１及び電源オフディレータイマａ接点１０８を自動的にオンにすることができる。そうすることで、第１制御部６３は、熱媒ボイラ２の運転が開始された場合に、循環ポンプ５を自動的に起動することができる。このように、熱媒ボイラシステム１は、循環ポンプ５の停止していることを運転者が看過しても安全に作動する。
このように、熱媒ボイラシステム１は、循環ポンプ５の起動について、循環ポンプ起動スイッチ５８をオンすることによる起動と、熱媒ボイラ２の運転開始に伴う自動起動との２系統の起動手段（起動方法）を備える。
【００４２】
第１制御部６３は、循環ポンプ５の作動時に、循環ポンプ冷却水電磁弁５４を開くように制御する。そうすることで、冷却水を循環ポンプ冷却水ライン５３を介して、循環ポンプ５に供給し、循環ポンプ５を冷却することができる。なお、循環ポンプ５に異常を検知した場合においても、循環ポンプ運転入力信号がオンである限り、第１制御部６３は、循環ポンプ冷却水電磁弁５４を開くように制御する。こうすることで、循環ポンプ５に異常を検知した場合においても、冷却水を循環させることを可能とし、循環ポンプ５が過熱状態にならないようにすることができる。
第１制御部６３は、循環ポンプ強制停止スイッチ５９がオンされるか、又は冷却動作終了信号出力部６２により冷却動作終了信号が出力されると、循環ポンプ冷却水電磁弁５４を閉じるように制御し、冷却水の循環ポンプ５への供給を停止する。また、前述したように、第１制御部６３は、冷却動作終了信号を冷却動作終了信号ａ接点１１０及び冷却動作終了信号ｂ接点１０４に入力させることで、循環ポンプ５を自動的に即時停止することができる。
このように、循環ポンプ５の停止についても、循環ポンプ強制停止スイッチ５９をオンすることによる停止と、制御部６（冷却動作終了信号出力部６２）の出力する冷却動作終了信号に基づく停止との２系統の停止手段（停止方法）を備える。
【００４３】
第１制御部６３は、熱媒ボイラ２の燃焼制御中に、循環ポンプ運転入力信号出力部１０２により出力される循環ポンプ運転入力信号を所定時間継続して検知しない場合、熱媒ボイラ２の燃焼を停止させるように制御する。
このように、第１制御部６３は、循環ポンプ５が運転していることを検知している場合に、熱媒ボイラ２の燃焼を可能とするように制御することで、熱媒ボイラシステム１の安全性を確保することを可能とする。
【００４４】
第１制御部６３は、熱媒ボイラ運転スイッチ２２がオフされた場合、熱媒ボイラ２の燃焼を停止させるように制御する。
【００４５】
第１制御部６３は、循環ポンプ５に異常が発生した場合に、熱媒ボイラ２の燃焼を停止させるように制御するとともに、冷却動作終了信号を出力するように構成することができる。
例えば、第１制御部６３は、電源回路１０に過電流が流れた場合に過電流信号出力部１０６により出力される過電流信号を検知すると、熱媒ボイラ２の燃焼を停止させるように制御するとともに、冷却動作終了信号を出力するように構成することができる。
同様に、第１制御部６３は、循環ポンプ過熱検知部５５が循環ポンプ過熱状態を検知すると、熱媒ボイラ２の燃焼を停止させるように制御するとともに、冷却動作終了信号を出力するように構成することができる。
第１制御部６３は、さらに、循環ポンプ温度検出部５６が、循環ポンプ５の温度が所定の温度以下であることを検出した場合に、熱媒ボイラ２の燃焼を停止させるように制御するとともに、冷却動作終了信号を出力するように構成することができる。
第１制御部６３は、さらに、熱媒流量検出部９により熱媒流量が所定の流量以下であることを検出した場合に、熱媒ボイラ２の燃焼を停止させるように制御するとともに、冷却動作終了信号を出力するように構成することができる。
第１制御部６３は、さらに、ベアリング不良検知部５７によりベアリング不良の異常を検出した場合に、熱媒ボイラ２の燃焼を停止させるように制御するとともに、冷却動作終了信号を出力するように構成することができる。
【００４６】
第１制御部６３は、冷却動作終了信号を冷却動作終了信号ａ接点１１０及び冷却動作終了信号ｂ接点１０４に入力させる。こうすることで、循環ポンプ電源回路１０において、冷却動作終了信号ａ接点１１０がつながることで電源オフディレータイマ１０７が強制リセットされるとともに、冷却動作終了信号ｂ接点１０４が開くことで、循環ポンプ５を自動的に即時停止することができる。また、第１制御部６３は、循環ポンプ冷却水電磁弁５４を閉じるように制御し、冷却水の循環ポンプ５への供給を停止する。
このように、循環ポンプ５に異常が発生した場合においても、熱媒ボイラ２の燃焼を停止させるように制御するとともに、循環ポンプ５を即時停止することで、熱媒ボイラシステム１の安全性を向上することを可能とする。
【００４７】
［メッセージ出力］
第１制御部６３は、冷却動作終了信号に基づいて、循環ポンプ５を自動的に即時停止する際に、冷却動作終了信号がどの原因に基づいて出力されたかを表すメッセージ（又は、警報音）を出力部から出力することで、管理者に通報するように構成してもよい。
より具体的には、第１制御部６３は、冷却動作終了信号の出力が、熱媒ボイラ２の燃焼停止後の循環ポンプ冷却運転の動作終了に基づくものであるのか、過電流信号出力部１０６により出力される過電流信号の検知に基づくものであるのか、循環ポンプ過熱検知部５５による循環ポンプ過熱状態の検知に基づくものであるのか、循環ポンプ温度検出部５６による循環ポンプ５の温度が所定の温度以下であることを検出したに基づくものであるのか、熱媒流量検出部９により熱媒流量が所定の流量以下であることを検出したことに基づくものであるのか、又はベアリング不良検知部５７によりベアリング不良の異常に基づくものであるのか、を表すメッセージ（又は、警報音）を出力部から出力する。
なお、異常内容を表すメッセージに加えて（又は換えて）管理者あてにメールを送付してもよい。
【００４８】
このように、第１制御部６３は、循環ポンプ５の動作異常を検知した場合に、燃焼ボイラの燃焼を停止させるとともに、冷却動作終了信号を出力することにより、事故を避けるとともに、管理者が適切な善後策を取ることを可能とする。
【００４９】
［循環ポンプ冷却水について］
第１制御部６３は、循環ポンプ起動スイッチ５８がオンされることに応答して（すなわち、循環ポンプ運転入力信号を検知することで）、循環ポンプ冷却水電磁弁５４を開くように制御し、冷却水を循環ポンプ冷却水ライン５３を介して、循環ポンプ５に供給し、循環ポンプ５を冷却する。そして、第１制御部６３は、循環ポンプ運転入力信号出力部１０２により出力される循環ポンプ運転入力信号を検知する間、循環ポンプ冷却水電磁弁５４を開くように制御する。
なお、前述したように、第１制御部６３は、循環ポンプ５に異常を検知した場合においても、循環ポンプ運転入力信号がオンである限り、循環ポンプ冷却水電磁弁５４を開くように制御する。こうすることで、循環ポンプ５に異常を検知した場合においても、冷却水を循環させることを可能とし、循環ポンプ５が過熱状態にならないようにすることができる。
【００５０】
以上のように、本実施形態の熱媒ボイラシステム１は、循環ポンプ起動スイッチ５８がオンされると、循環ポンプ電源が導通した状態を検知する循環ポンプ起動検知部６１と、循環ポンプ起動検知部６１により循環ポンプ電源が導通した状態を検知することで、前記熱媒ボイラの燃焼を可能とするように制御する第１制御部６３と、を備える。
これにより、本実施形態の熱媒ボイラシステム１は、循環ポンプの運転していることを検知している場合に、熱媒ボイラ２の燃焼を可能とするように制御することで、熱媒ボイラシステム１の安全性を確保することを可能とする。
【００５１】
また、本実施形態の熱媒ボイラシステム１は、熱媒ボイラ運転スイッチ２２がオフにされた場合、熱媒油温度検出部８により測定される熱媒温度が所定の温度以下になったことを検知する場合、及び／又は熱媒ボイラ運転スイッチ２２がオフにされてから所定時間経過後に、冷却動作終了信号を出力する冷却動作終了信号出力部６２を備え、第１制御部６３は、冷却動作終了信号出力部６２により出力される冷却動作終了信号により、循環ポンプ５を停止させるように制御する。
これにより、本実施形態の熱媒ボイラシステム１は、熱媒ボイラ２の運転停止後、熱媒油の冷却完了後に、循環ポンプ５を自動的に停止することができる。
【００５２】
また、本実施形態の熱媒ボイラシステム１の循環ポンプ起動検知部６１は、循環ポンプ強制停止スイッチ５９がオンされるか又は冷却動作終了信号出力部６２により冷却動作終了信号が出力されるまで、循環ポンプ電源が導通した状態を検知する。
これにより、本実施形態の熱媒ボイラシステム１の循環ポンプ５は、熱媒ボイラ２の燃焼停止動作から独立した運転停止手段を備えることができる。
【００５３】
また、本実施形態の熱媒ボイラシステム１は、さらに、循環ポンプ電源オフ時に、所定時間、循環ポンプ５の電源導通状態オンを保持する循環ポンプ電源保持部を備える。
これにより、瞬間停電（瞬電）が発生した場合であっても、循環ポンプ５が停止しないようにすることを可能とすることで、熱媒ボイラシステム１の安全性を確保することができる。
【００５４】
また、第１制御部６３は、さらに、循環ポンプ起動検知部６１により循環ポンプ電源が導通した状態を検知する間、循環ポンプ冷却水電磁弁５４を開くように制御する。
これにより、循環ポンプ５に異常を検知した場合であっても、循環ポンプ運転入力信号がオンである限り、冷却水を循環させることを可能とし、循環ポンプ５が過熱状態にならないようにすることができる。
【００５５】
また、第１制御部６３は、さらに、熱媒ボイラ２の燃焼制御中に、循環ポンプ起動検知部６１により循環ポンプ電源が導通した状態を所定時間継続して検知しない場合、熱媒ボイラ２の燃焼を停止させるように制御する。
これにより、第１制御部６３は、循環ポンプ５の運転していないと判断される場合に、熱媒ボイラ２の燃焼を停止するように制御することで、熱媒ボイラシステム１の安全性を確保することを可能とする。
【００５６】
また、熱媒ボイラシステム１は、循環ポンプ電源回路１０に過電流を感知して、循環ポンプ電源回路１０を遮断するとともに過電流信号を出力する保護装置１０５を備え、第１制御部６３は、さらに、過電流信号を検知すると、熱媒ボイラ２の燃焼を停止させるように制御する。
また、第１制御部６３は、循環ポンプ過熱検知部５５が循環ポンプ過熱状態を検知すると、熱媒ボイラ２の燃焼を停止させるように制御する。
また、第１制御部６３は、循環ポンプ温度検出部５６が、循環ポンプ５の温度が所定の温度以下であることを検出した場合に、熱媒ボイラ２の燃焼を停止させるように制御する。
第１制御部６３は、前記熱媒流量検出部９により熱媒流量が所定の流量以下であることを検出した場合に、熱媒ボイラ２の燃焼を停止させるように制御する。
こうすることで、循環ポンプ５に何らかの異常を検知した場合に、熱媒ボイラ２の燃焼を停止することで、熱媒ボイラシステム１の安全性を確保することを可能とする。
【００５７】
なお、本発明は、前述の実施形態に限定されるものではなく、本発明の趣旨を逸脱しない範囲において種々の変更を加えることが可能である。
【００５８】
［変形例１］
本実施形態では、第１制御部６３は、循環ポンプ５の動作異常を検知した場合に、冷却動作終了信号を出力するように構成したが、第１制御部６３は、冷却動作終了信号出力部６２から冷却動作終了信号を出力させるように構成してもよい。
【００５９】
［変形例２］
本実施形態では、第１制御部６３は、循環ポンプ５の動作異常を検知した場合に、燃焼ボイラの燃焼を停止するように構成したが、第１制御部６３は、燃焼ボイラの燃焼を停止させる替わりに、異常内容を表すメッセージ（又は、警報音）を出力部から出力することで、管理者に通報するように構成してもよい。この場合、管理者は、例えば、熱媒ボイラ運転スイッチ２２により、熱媒ボイラ２の燃焼停止指示をすることができる。
なお、異常内容を表すメッセージに加えて（又は換えて）管理者あてにメールを送付してもよい。
【００６０】
［変形例３］
本実施形態では、循環ポンプ５を熱媒ボイラ２の上流に設置したが、循環ポンプ５を熱媒ボイラ２の下流に設置するようにしてもよい。また、循環ポンプ５を熱媒ボイラ２の上流及び下流に設置するようにしてもよい。
【００６１】
［変形例４］
本実施形態では、循環ポンプ５（モータ部５２）の回転数制御について触れていないが、例えばインバータ装置を設け、熱媒ボイラ２の燃焼停止後に、インバータ装置によって、回転数を減少することで、電力消費量を削減するように、循環ポンプ５（モータ部５２）の回転数制御を行うように構成してもよい。
【符号の説明】
【００６２】
１  熱媒ボイラシステム
２  熱媒ボイラ
２１  燃焼装置
２２  熱媒ボイラ運転スイッチ
３  熱使用部
４  熱媒循環ライン
５  循環ポンプ
５１  ポンプ部
５２  モータ部
５３  循環ポンプ冷却水ライン
５４  循環ポンプ冷却水電磁弁
５５  循環ポンプ過熱検知部
５６  循環ポンプ温度検出部
５７  ベアリング不良検知部
５８  循環ポンプ起動スイッチ
５９  循環ポンプ強制停止スイッチ
６  制御部
６１  循環ポンプ起動検知部
６２  冷却動作終了信号出力部
６３  第１制御部
７  信号線
８  熱媒油温度検出部
９  熱媒流量検出部
９１  熱媒ボイラ入口圧力計
９２  熱媒ボイラ出口圧力計
９３  差圧検出装置
１０  電源回路
１０１  循環ポンプ起動スイッチａ接点
１０２  循環ポンプ運転入力信号出力部
１０３  循環ポンプ強制停止スイッチｂ接点
１０４  冷却動作終了信号ｂ接点
１０５  保護装置（サーマル）
１０６  過電流信号出力部
１０７  電源オフディレータイマ
１０８  電源オフディレータイマａ接点
１０９  循環ポンプ強制停止スイッチａ接点
１１０  冷却動作終了信号ａ接点
【図１】
0006610288.tif 000002
【図２】
0006610288.tif 000003